(57)【要約】【課題】本発明は、凍結防止と融雪剤の除去とを両立するウォッシャー液の提供を課題とする。【解決手段】水；４０〜７０重量％のアルコール；及び０．００５〜０．１重量％の２０〜４５ｍＰａ・ｓの粘度を有するアルギン酸プロピレングリコールエステル；を含むウインドシールドウォッシャー液によって、上記課題を解決することができる。【選択図】なし【特許請求の範囲】
【請求項１】
水；
４０〜７０重量％のアルコール；及び
０．００５〜０．１重量％の２０〜４５ｍＰａ・ｓの粘度を有するアルギン酸プロピレングリコールエステル；
を含むウインドシールドウォッシャー液。
【発明の詳細な説明】
【技術分野】
【０００１】
本発明はウインドシールドウォッシャー液に関する。
【背景技術】
【０００２】
ウインドシールドウォッシャー液は車両のフロントウインド及びリアウインドの汚れ及び氷を除去するために使用される。例えば、特許文献１は、０．０５〜３％のＣｎＨ２ｎ＋１Ｏ（ＣＨ２Ｃ（ＣＨ３）ＨＯ）ｘ（ＣＨ２ＣＨ２Ｏ）ｙＨ［式中：８≦ｎ≦１０；ｘ≧１０；４４ｙ／（１４ｎ＋５８ｘ＋４４ｙ＋１８）≧０．４５］で表されるポリオキシアルキレンアルキルエーテル（Ａ）、０．０１〜０．１％のＣｎＨ２ｎ＋１Ｏ（ＣＨ２Ｃ（ＣＨ３）ＨＯ）ｘ（ＣＨ２ＣＨ２Ｏ）ｙＨ［式中：８≦ｎ≦１０；ｘ≧８；４≦ｙ≦６］で表されるポリオキシアルキレンアルキルエーテル（Ｂ）、及び０．０１〜０．５％のテトラヒドロ−１，４−オキサジンを含有するウインドウォッシャー液を開示している。
【先行技術文献】
【特許文献】
【０００３】
【特許文献１】特開２００６−２２１７１号公報
【発明の概要】
【発明が解決しようとする課題】
【０００４】
ウインドシールドウォッシャー液（以下、単に「ウォッシャー液」ともいう）は、通常、水、アルコール、洗浄のための界面活性剤、車両の各種材料を保護するための防食剤、識別のための染料等を含有している。
【０００５】
寒冷地においては、ウォッシャー液の凍結温度を下げるために、ウォッシャー液に高濃度のアルコールが加えられている場合がある。そのため、相対的に水の含有量が減り、ウォッシャー液の極性が低下することになる。また、寒冷地においては、雪を溶かすために融雪剤（例えば、塩化カルシウム、塩化ナトリウム、塩化カリウム）が道路に散布されている場合がある。融雪剤は高い極性を有するため、極性の低下したウォッシャー液には溶解し難い。そのため、融雪剤が車両のウインドに付着すると、これを極性の低下したウォッシャー液で除去することが困難となり、運転中の視界が悪化してしまう。つまり、ウォッシャー液の凍結を防止しようとするほど、融雪剤を除去し難くなるという問題が発生する。
【０００６】
そのため、本発明は、凍結防止と融雪剤の除去とを両立するウォッシャー液の提供を課題とする。
【課題を解決するための手段】
【０００７】
本発明者等が鋭意検討した結果、高い極性を有するアルギン酸プロピレングリコールエステルを使用することにより、高濃度のアルコールを含有していても融雪剤を除去できることを見出した。
【０００８】
本発明の実施形態として以下のものを例示することができる。
［１］
水；
４０〜７０重量％のアルコール；及び
０．００５〜０．１重量％の２０〜４５ｍＰａ・ｓの粘度を有するアルギン酸プロピレングリコールエステル；
を含むウインドシールドウォッシャー液。
【発明の効果】
【０００９】
本発明によれば、凍結防止と融雪剤の除去とを両立するウォッシャー液を提供することができる。
【発明を実施するための形態】
【００１０】
本発明は、水、高濃度のアルコール、及びアルギン酸プロピレングリコールエステルを含むウインドシールドウォッシャー液に関する。アルギン酸プロピレングリコールエステルは高い極性を有するため、ウォッシャー液の極性を高め、融雪剤の除去を可能にする。
【００１１】
アルギン酸プロピレングリコールエステルは、融雪剤を除去する観点から、ウォッシャー液の重量に対して０．００５重量％以上の量でウォッシャー液に含まれていることが好ましい。また、アルギン酸プロピレングリコールエステルは、ウォッシャー液の噴霧性を確保する観点から、ウォッシャー液の重量に対して０．１重量％以下の量でウォッシャー液に含まれていることが好ましい。具体的には、アルギン酸プロピレングリコールエステルの量は、ウォッシャー液の重量に対して、好ましくは０．００５〜０．１重量％、より好ましくは０．０１〜０．１重量％である。
【００１２】
アルギン酸プロピレングリコールエステルの粘度は、ウォッシャー液の噴霧性を確保する観点から、２０〜４５ｍＰａ・ｓであることが好ましい。本明細書における粘度とは、１％水溶液とし、２０℃で測定した際の粘度を意味する。また、本明細書における粘度とは、ＪＩＳ  Ｚ  ８８０３の「液体の粘度測定方法」における単一円筒形回転粘度計による粘度測定方法によって測定した粘度を意味する。
【００１３】
アルギン酸プロピレングリコールエステルとしては、例えば、一般式（１）：
【化１】
2017082134.tif 000002
［式中、Ｒは、それぞれ独立して、Ｈ、アニオン、−ＣＨ２ＣＨ（ＯＨ）ＣＨ３、又は−ＣＨ（ＣＨ３）ＣＨ２ＯＨである］
で表される構造を含む化合物を例示することができる。
【００１４】
一実施形態では、一般式（１）におけるｎは、アルギン酸プロピレングリコールエステルの粘度が２０〜４５ｍＰａ・ｓとなる数値である。
【００１５】
アルコールとしては、ウォッシャー液の凍結温度を下げることができるものであれば特に限定されないが、例えば、メタノール、エタノール、イソプロパノール等を挙げることができる。
【００１６】
アルコールは、ウォッシャー液の凍結防止の観点から、ウォッシャー液の重量に対して４０〜７０重量％の量でウォッシャー液に含まれていることが好ましい。より好ましくは、アルコールの量は、ウォッシャー液の重量に対して、５０〜７０重量％である。
【００１７】
水の量は、ウォッシャー液の重量に対して、好ましくは３０〜６０重量％、より好ましくは３０〜５０重量％である。
ウォッシャー液は、界面活性剤及び防錆剤を更に含んでいることが好ましい。
【００１８】
界面活性剤としては、従来のウォッシャー液において一般的に使用されているものを同様に使用することができる。例えば、界面活性剤として、非イオン性界面活性剤、アニオン性界面活性剤、カチオン性界面活性剤、両性界面活性剤等を例示することができる。
【００１９】
融雪剤の除去に有効とされている従来のウォッシャー液には、界面活性剤が大量に加えられている。そのため、車両組立工場においてウォッシャー液をウォッシャー液タンクに急速に充填すると、激しい泡立ちが生じるため、短時間でウォッシャー液を充填できないという問題が発生する。しかしながら、本発明においてはアルギン酸プロピレングリコールエステルを使用することにより、大量の界面活性剤を使用することなく、融雪剤を除去することができるため、短時間でウォッシャー液を充填することが可能となる。
【００２０】
界面活性剤は、汚れを洗浄する観点から、ウォッシャー液の重量に対して０．２重量％以上の量でウォッシャー液に含まれていることが好ましい。また、界面活性剤は、泡立ちを抑える観点から、ウォッシャー液の重量に対して１重量％以下の量でウォッシャー液に含まれていることが好ましい。具体的には、界面活性剤の量は、ウォッシャー液の重量に対して、好ましくは０．２〜１重量％、より好ましくは０．３〜０．８重量％、更に好ましくは０．４〜０．６重量％、特に好ましくは０．５重量％である。
【００２１】
防錆剤としては、従来のウォッシャー液において一般的に使用されているものを同様に使用することができる。例えば、防錆剤として、ホウ酸塩、ケイ酸塩、リン酸塩、亜硝酸塩、硝酸塩、トリアゾール類等を例示することができる。
【００２２】
防錆剤の量は、ウォッシャー液の重量に対して、好ましくは０．０４〜０．１６重量％、より好ましくは０．０６〜０．１４重量％、更に好ましくは０．０８〜０．１２重量％、特に好ましくは０．１重量％である。
ウォッシャー液は、本発明の効果を損なわない範囲で更なる成分を含んでいてもよい。
【実施例】
【００２３】
以下、実施例及び比較例を用いて本発明をより詳細に説明するが、本発明の技術的範囲はこれに限定されるものではない。
【００２４】
＜ウォッシャー液の調製＞
以下の表１〜３に示す組成を有するウォッシャー液を調製した。
アルギン酸プロピレングリコールエステル（２０℃、１％水溶液で粘度２０ｍＰａ・ｓ）として、株式会社キミカ製のキミロイドＬＬＶを使用した。
【００２５】
アルギン酸プロピレングリコールエステル（２０℃、１％水溶液で粘度４５ｍＰａ・ｓ）として、株式会社キミカ製のキミロイドＮＳＬ−Ｋを使用した。
【００２６】
アルギン酸プロピレングリコールエステル（２０℃、１％水溶液で粘度８０ｍＰａ・ｓ）として、株式会社キミカ製のキミロイドＬＶを使用した。
【００２７】
界面活性剤としては、花王株式会社製のアルキルベンゼンスルフォン酸塩（商品名ネオペレックスＧ−１５）を使用した。
【００２８】
防錆剤としては、城北化学工業株式会社製の１，２，３−ベンゾトリアゾール（品番ＢＴ−１２０）を使用した。
【００２９】
＜性能試験＞
以下の項目に関して、ウォッシャー液の性能を試験した。
（１）溶解性試験
メタノール水溶液におけるアルギン酸化合物の溶解性を確認した。なお、比較例４及び５のウォッシャー液はアルギン酸化合物を含んでいない。
【００３０】
（２）粘性（噴霧）試験及び洗浄試験
ＪＩＳ  Ｄ５７０４に規定のウインドシールドウォッシャーシステム並びにＪＩＳ  Ｄ５７１０に規定のワイパアーム及びワイパブレードを備えた拭き性能試験装置を準備した。汚染剤としての塩化カルシウム水溶液を刷毛でウインドシールドガラス表面に均一に塗布し、乾燥させた。
【００３１】
ウォッシャー液をウォッシャー液タンクに充填した。２０℃、１３、５Ｖでポンプを作動させ、ウォッシャー液をウインドシールド全体に均一に噴霧できるかを目視で評価した。ウォッシャー液を均一に噴霧できた場合を「○合格」とした。一方、ウォッシャー液が噴霧ノズルから垂れてしまった場合、又はウォッシャー液をウインドシールドの上面に噴霧できない場合を「×不合格」とした。
【００３２】
ウォッシャー液の噴霧と同時にワイパーを作動させ、ウォッシャー液の噴霧終了後１０サイクルまで作動させて、塩化カルシウムの除去を確認した。塩化カルシウム水溶液の代わりに水を使用した場合と比較して、同等の結果が得られた場合を「○合格」とし、塩化カルシウムが残存した場合を「×不合格」とした。
【００３３】
（３）充填試験
工場におけるウォッシャー液の充填を再現するために、４Ｌのウォッシャー液タンクを有する車両を準備した。ウォッシャー液の全量を３０秒で充填する速度で、ウォッシャー液充填口から直径１０ｍｍのホースを用いてウォッシャー液を充填した。規定の量のウォッシャー液を充填できた場合を「○合格」とした。一方、激しい泡立ちが生じて、規定の量のウォッシャー液を充填できない場合を「×不合格」とした。
【００３４】
＜試験結果＞
上記試験の結果を表１〜３に示す。
実施例１〜７では、所定の粘度を有するアルギン酸プロピレングリコールエステルを所定の量で使用したことにより、全ての試験に合格した。
【００３５】
比較例１〜３では、アルギン酸プロピレングリコールエステルの代わりにアルギン酸塩を使用したことにより、噴霧したウォッシャー液がゲル化し、洗浄試験に不合格であった。
【００３６】
比較例４では、アルギン酸化合物を使用しなかったことにより、洗浄試験に不合格であった。
【００３７】
比較例５では、アルギン酸化合物を使用せず、且つ界面活性剤を多量に使用したことにより、激しい泡立ちが生じ、充填試験に不合格であった。
【００３８】
比較例６及び９では、アルギン酸プロピレングリコールエステルの量が少なかったことにより、洗浄試験に不合格であった。
【００３９】
比較例７及び８では、アルギン酸プロピレングリコールエステルの量が多すぎたことにより、ウォッシャー液の粘度が増加し、噴霧試験に不合格であった。
【００４０】
比較例１０では、高粘度のアルギン酸プロピレングリコールエステルを使用したことにより、溶解性試験及び噴霧試験に不合格であった。
【００４１】
【表１】
2017082134.tif 000003
【００４２】
【表２】
2017082134.tif 000004
【００４３】
【表３】
2017082134.tif 000005